(57)【特許請求の範囲】
【請求項１】
内燃機関側の駆動力を駆動輪側に伝達するプロペラシャフトを回転自在に支承する装置において、
プロペラシャフトを回転自在に支持するベアリングと、
同ベアリングを外側から嵌着する内環とその同心状の外環および同外環と前記内環の間に一体に介装された弾性体からなるベアリング保持部材と、
前記ベアリング保持部材の外環を外側から半円状の円弧部が嵌合支持し同円弧部から延出した腕部が車体側に取り付けられる取付ブラケットとを備え、
前記ベアリング保持部材の外環の前記取付ブラケットの円弧部に沿った軸方向の両側縁に係合片が屈曲して径方向外側に延出しており、
前記取付ブラケットの円弧部の軸方向の両側縁に係合溝または切欠きを有し、
前記軸方向前後の係合片が前記取付ブラケットの円弧部を前後から挟み、折り返されて軸方向前後の係合溝または切欠きに嵌合して前記ベアリング保持部材の外環を前記取付ブラケットの円弧部にかしめにより固着することを特徴とするプロペラシャフトの支承装置。
【請求項２】
前記係合片は前記外環に部分的に延出して複数形成され、同複数の係合片が前記取付ブラケットの円弧部の複数の係合溝または切欠きにかしめ付けられることを特徴とする請求項１記載のプロペラシャフトの支承装置。
【発明の詳細な説明】
【０００１】
【発明の属する技術分野】
本発明は、自動車の駆動伝達手段であるプロペラシャフトを回転自在に支持する支承装置に関する。
【０００２】
【従来の技術】
プロペラシャフトは、一般に車体前方の内燃機関を含む駆動ユニットと車体後部の後輪を回転させる差動装置とを連結して動力を伝達しており、駆動ユニットと差動装置の相対的な変動に対応するため、自在継手を前後に介装するほか、車体に対してベアリングを介して回転自在に支持されるとともに、ベアリングを弾性部材を介して支持することで、回転に伴う振動を吸収し騒音の発生を防止している。
【０００３】
かかるプロペラシャフトの支承構造は、例えば実公昭６３−３０５７２号公報に記載された従来例では、ベアリングを支持する環状のベアリング保持部材が内環と外環と同両者の間に介装された可撓部とからなり、内環がベアリングを介してプロペラシャフトを支承し、外環が支持部材の環状ケースに嵌め込まれ、支持部材が車体側に固着される構造をしている。
【０００４】
ベアリングを支持するベアリング保持部材の可撓部がプロペラシャフトの回転に伴う振動を吸収し騒音の発生を防止している。
またベアリング保持部材を支持する部材が、ベアリング保持部材の外環を２部材で挟み端部を溶接して支持する例（実公平７−３３６号公報）がある。
【０００５】
【発明が解決しようとする課題】
しかし前者の例では、ベアリング保持部材の外環が支持部材の環状ケースに圧入されるので、ベアリング保持部材を確実支持するために外環および環状ケースに高い部品精度が要求され、コストアップの要因となる。
【０００６】
また後者の例では、２つの部材でベアリング保持部材の外環を挟むので、あまり高い部品精度を要求されないが、２つの部材は外環を挟んだ端部を互いに溶接するので、溶接による熱がベアリング保持部材の可撓部に影響するおそれがあり、かつ溶接ポイントの位置決めが必要であり、作業性が悪い。
【０００７】
本発明は、かかる点に鑑みなされたもので、その目的とする処は、部品の精度に高いものが要求されず製作が容易で組付作業性に優れたプロペラシャフトの支承装置を供する点にある。
【０００８】
【課題を解決するための手段および作用効果】
上記目的を達成するために、本発明は、内燃機関側の駆動力を駆動輪側に伝達するプロペラシャフトを回転自在に支承する装置において、プロペラシャフトを回転自在に支持するベアリングと、同ベアリングを外側から嵌着する内環とその同心状の外環および同外環と前記内環の間に一体に介装された弾性体からなるベアリング保持部材と、前記ベアリング保持部材の外環を外側から半円状の円弧部が嵌合支持し同円弧部から延出した腕部が車体側に取り付けられる取付ブラケットとを備え、前記ベアリング保持部材の外環の前記取付ブラケットの円弧部に沿った軸方向の両側縁に係合片が屈曲して径方向外側に延出しており、前記取付ブラケットの円弧部の軸方向の両側縁に係合溝または切欠きを有し、前記軸方向前後の係合片が前記取付ブラケットの円弧部を前後から挟み、折り返されて軸方向前後の係合溝または切欠きに嵌合して前記ベアリング保持部材の外環を前記取付ブラケットの円弧部にかしめにより固着するプロペラシャフトの支承装置とした。
【０００９】
ベアリング保持部材の外環が取付ブラケットの円弧部にかしめにより固着されるので、ベアリング保持部材および取付ブラケットに高い部品精度が要求されず製作が容易であり、かつ組付作業もかしめるだけで簡単であり、コストの削減を図ることができる。
【００１０】
ベアリング保持部材の外環が係合片を延出させる簡単な形状をして製作が容易である。
取付ブラケットの円弧部に係合溝または切欠きを有し、外環の係合片は折り返して係合溝または切欠きに嵌合してかしめ付けるので、確実な固着が行われる。
【００１１】
前記係合片は前記外環に部分的に延出して複数形成され、同複数の係合片が前記取付ブラケットの円弧部の複数の係合溝または切欠きにかしめ付けられる請求項１記載のプロペラシャフトの支承装置とすることで、かしめによる固着作業が一段と容易となり、ベアリング保持部材を均等に支持することができる。
【００１３】
【発明の実施の形態】
以下本発明に係る一実施の形態について図１ないし図４に図示し説明する。
図１は、自動車（ＦＲ車または４ＷＤ車）の動力伝達機構の一部であるプロペラシャフトの支承装置を断面図で示している。
【００１４】
前側の第１プロペラシャフト１と後側の第２プロペラシャフト２をジョイント部材３が連結しており、ジョイント部材３は第１プロペラシャフト１と一体に結合されるシャフトスタブ４と第２プロペラシャフト２とクロスジョイントを介して連結されるヨークスタブ５とが、シャフトスタブ４の基部４ａで一体に溶接されて形成されている。
【００１５】
シャフトスタブ４の基部４ａの外周面にベアリング７が嵌合され、ベアリング７の前後にシール部材８，９が嵌合されている。
そしてベアリング７およびシール部材８，９の外周に内環11を嵌合させてベアリング保持部材10が周設されている。
【００１６】
ベアリング保持部材10は、前記内環11と同内環11に内周を焼着されて外周方向に湾曲して延出する弾性体12と、同弾性体12の外周に焼着された外環13とからなり、内環11と外環13は同心状に位置する。
このベアリング保持部材10の外環13を車体取付ブラケット15が支持する構造となっている。
【００１７】
取付ブラケット15は、帯状鋼板を加工したもので図２に示すように、半円状の円弧部15ａとその両端が直径外方向に延出して腕部15ｂ，15ｂを形成しており、円弧部15ａの前後外側縁にそれぞれ周方向に亘って均等に４か所係合溝15ｃが形成されている。
【００１８】
一方ベアリング保持部材10は、外環13の軸方向幅長が取付ブラケット15と略等しく、外環13の前後両側縁にそれぞれ周方向に亘って４か所係合片13ａが突出形成されており、各係合片13ａは取付ブラケット15の係合溝15ｃにそれぞれ対応している。
【００１９】
ベアリング保持部材10の外環13に取付ブラケット15の円弧部15ａを嵌め込み、係合片13ａに係合溝15ｃを一致させ、図３に示すように同係合片13ａを係合溝15ｃに折り返して嵌合しかしめ付ける。
【００２０】
こうして前後それぞれ４か所の係合片13ａを取付ブラケット15の円弧部15ａにかしめ付け一体に固着し（図４参照）、該取付ブラケット15は腕部15ｂ，15ｂにおいて車体側に固定される。
【００２１】
このようにベアリング保持部材10を取付ブラケット15にかしめにより固着支持するので、両者に高い部品精度は要求されず、かつ組付作業も簡単であり、よって低コスト化を図ることができる。
【００２２】
かしめのための係合片13ａもベアリング保持部材10の外環13に突出形成する簡単なものなので、製作も容易である。
係合片13ａは、前後それぞれ４か所均等に配されて取付ブラケット15の係合溝15ｃに嵌合してかしめ付けられるので、正確な位置決めの下でベアリング保持部材10が確実に固着される。
【００２３】
このようにかしめ付けの簡単な組付構造であり、溶接を行わないので、熱の影響を弾性体12が受けて性能を劣化させるようなことはない。
【００２４】
前記実施の形態では、取付ブラケット15の円弧部15ａに係合溝15ｃを形成したが、係合溝15ｃの代わりに完全な切欠きとしてもよく、かかる例を図５に示す。取付ブラケット20の円弧部20ａの前後側縁にそれぞれ４か所矩形の切欠き20ｂが形成されており、一方ベアリング保持部材の外環21には切欠き20ｂに対応して係合片21ａが形成されている。
【００２５】
そしてベアリング保持部材の外環21に取付ブラケット20の円弧部20ａを嵌め込み、係合片21ａに切欠き20ｂを一致させ、図５に示すように同係合片21ａを切欠き20ｂに屈曲させて嵌合し、さらに円弧部20ａの上に折り返してかしめ付ける。
正確な位置決めの下でベアリング保持部材が確実に固着されることになる。
【図面の簡単な説明】
【図１】本発明の一実施の形態に係るプロペラシャフトの支承装置の断面図である。
【図２】同支承装置の分解正面図である。
【図３】係合片によるかしめの様子を示す要部断面図である。
【図４】同支承装置の正面図である。
【図５】別の実施の形態におけるかしめの部分の要部断面図である。
【符号の説明】
１…第１プロペラシャフト、２…第２プロペラシャフト、３…ジョイント部材、４…シャフトスタブ、５…ヨークスタブ、
７…ベアリング、８，９…シール部材、
10…ベアリング保持部材、11…内環、12…弾性体、13…外環、
15…取付ブラケット、
20…取付ブラケット、21…外環。
【図１】
0003963502.tif 000002
【図２】
0003963502.tif 000003
【図３】
0003963502.tif 000004
【図４】
0003963502.tif 000005
【図５】
0003963502.tif 000006